(57)【要約】【課題】電気機器が停止した又は正常に動作しなくなった場合に、現地に出向かなくても当該機器を回復する。【解決手段】電源入切制御回路４において、通常時には接点ＳＷ１〜ＳＷ３は開路で、接点ＳＷ４とＳＷ５は閉路である。リレーＲｙ１は、温度センサ６から高温信号を受けた時に接点ＳＷ１を閉路にする。リレーＲｙ２は、子局７ｂから信号を受けた時に接点ＳＷ２を閉路にする。子局７ｂは、親局７ａから空調装置５のリセット信号を受けた時に信号をリレーＲｙ２に送信する。交流不足電圧リレーＵＶは、停電等を検知した時に接点ＳＷ３を閉路にする。タイマリレーＴＭは、並列接続の接点ＳＷ１、ＳＷ２及びＳＷ３のうち、いずれか１個の接点が閉路になった時に所定時間だけ接点ＳＷ４を開路にする。リレーＲｙは、接点ＳＷ４が開路の時に接点ＳＷ５を開路にする。接点ＳＷ５の閉路／開路で空調装置５への電源の供給／停止が切り替わる。【選択図】図２
2010252425.tif 000002
【特許請求の範囲】
【請求項１】
電気機器とその電源とを接続又は遮断する機器電源制御装置であって、
前記電源の停電又は電圧低下を検知した時に前記電気機器と前記電源とを遮断する遮断手段と、
前記遮断手段により前記電気機器と前記電源とが遮断されてから所定時間後に前記電気機器と前記電源とを接続する手段と、
を備えることを特徴とする機器電源制御装置。
【請求項２】
請求項１に記載の機器電源制御装置であって、
前記電気機器は、空調装置であり、
前記遮断手段は、
前記空調装置が設置された室内に設けられた温度センサから所定温度以上を示す信号を受けた時に前記電気機器と前記電源とを遮断する手段を含む
ことを特徴とする機器電源制御装置。
【請求項３】
請求項１又は請求項２に記載の機器電源制御装置であって、
前記遮断手段は、
遠隔監視制御装置からリセットを指示する信号を受けた時に前記電気機器と前記電源とを遮断する手段を含む
ことを特徴とする機器電源制御装置。
【発明の詳細な説明】
【技術分野】
【０００１】
本発明は、状況に応じて電気機器への電源を投入又は遮断する制御装置に関する。
【背景技術】
【０００２】
送電線の中継所等には、通信機械室が設置される。その通信機械室の空調装置に関しては、以下のような問題点がある。  
（１）発雷によるサージノイズ等により空調装置の制御回路が誤作動し、その空調装置が停止又は送風状態になる。  
（２）商用電源の短時間内の復電／停電の繰り返しにより、空調装置の制御回路が誤作動し、その空調装置が停止又は送風状態になる。  
（３）通信機械室の室温が上昇し、通信設備の動作が不安定になる、寿命が短くなる等の悪影響が発生する。特に、直流電源装置のＭＳＥ型蓄電池は、室温が３０度に上昇しただけで、その寿命が半減する。  
（４）（１）〜（３）の場合、保守員が現地に出向いて、空調装置の電源を一旦切り、再度入れることで、復旧させている。
【先行技術文献】
【特許文献】
【０００３】
【特許文献１】実開平５−４２２０号公報
【発明の概要】
【発明が解決しようとする課題】
【０００４】
ところで、従来から通信機械室に停電補償回路を設置して停電対策を講じているが、発雷によるサージノイズには効果がない。また、市販の停電補償回路には、外部リセット信号入力端子が備わっていないので、通信設備の監視制御装置等からの遠隔制御ができない。
【０００５】
なお、特許文献１には、電源ＯＦＦにて制御回路を敏速にリセットする空気調和機の電源リセット手段が開示されているが、このリセット手段は制御回路をリセットするだけなので、不安定な電力供給による空調装置の誤動作に対応することができない。
【０００６】
本発明は、上記課題を鑑みてなされたものであり、その主たる目的は、電気機器が停止した又は正常に動作しなくなった場合に、現地に出向かなくても当該機器を回復することにある。
【課題を解決するための手段】
【０００７】
上記課題を解決するために、本発明は、電気機器とその電源とを接続又は遮断する機器電源制御装置であって、前記電源の停電又は電圧低下を検知した時に前記電気機器と前記電源とを遮断する遮断手段と、前記遮断手段により前記電気機器と前記電源とが遮断されてから所定時間後に前記電気機器と前記電源とを接続する手段と、を備えることを特徴とする。
【０００８】
この構成によれば、瞬時停電を含む停電や電圧低下が発生した場合に、電気機器への電源を一旦遮断し、所定時間後に電源を再度投入するので、不安定な電力供給による電気機器の誤作動を防止できるとともに、保守員が現地に出向かなくても電気機器を回復することができる。
【０００９】
また、本発明は、機器電源制御装置であって、前記電気機器が、空調装置であり、前記遮断手段が、前記空調装置が設置された室内に設けられた温度センサから所定温度以上を示す信号を受けた時に前記電気機器と前記電源とを遮断する手段を含むことを特徴とする。
【００１０】
この構成によれば、発雷によるサージノイズや電源の不安定な動作等により空調装置が停止や送風の状態になった場合に、停止や送風の状態が検知できなくても、室温が上昇するので、空調装置が設置された室内の温度センサが所定温度以上を検知したのをトリガとして電気機器の電源を遮断できる。これによれば、保守員が現地に出向かなくても、電気機器を回復できる。
【００１１】
また、本発明は、機器電源制御装置であって、前記遮断手段が、遠隔監視制御装置からリセットを指示する信号を受けた時に前記電気機器と前記電源とを遮断する手段を含むことを特徴とする。
【００１２】
この構成によれば、万が一、自動による電源の遮断が不調であっても、遠隔制御によって電気機器の電源を遮断できるので、保守員が現地に出向かなくても済む。
【００１３】
その他、本願が開示する課題及びその解決方法は、発明を実施するための形態の欄、及び図面により明らかにされる。
【発明の効果】
【００１４】
本発明によれば、電気機器が停止した又は正常に動作しなくなった場合に、現地に出向かなくても当該機器を回復することができる。
【図面の簡単な説明】
【００１５】
【図１】装置電源制御システム１の構成を示す図である。
【図２】電源入切制御回路４の構成を示す図であり、特に通常時の状態を示す。
【図３】電源入切制御回路４の構成を示す図であり、特に空調装置５への電源供給を停止した時の状態を示す。
【図４】瞬時停電の場合の各リレーの動作の例を示す図である。
【発明を実施するための形態】
【００１６】
以下、図面を参照しながら、本発明を実施するための形態を説明する。本発明の実施の形態に係る機器電源制御装置は、瞬時停電を含む停電や電圧低下を検知した時に電気機器への電源を遮断し、所定時間後に電源を投入する。これによれば、停電や電圧低下が発生した時に、電気機器の誤作動を防止できるとともに、保守員が現地に出向かなくても電気機器への電力供給を回復することができる。
【００１７】
≪システムの構成と概要≫
図１は、装置電源制御システム１の構成を示す図である。装置電源制御システム１は、電源装置２、ノイズフィルタ３、電源入切制御回路（機器電源制御装置）４及び空調装置５がこの順に接続されて構成される。電源装置２は、空調装置５に電源を供給するものであり、例えば、交流の商用電源である。ノイズフィルタ３は、雷サージノイズを吸収する。電源入切制御回路４は、電源装置２から空調装置５に供給される電源の入切を制御する回路であり、雷サージによる誤作動を防ぐために、電子回路よりも、リレー回路により構成されることが好ましい。空調装置５は、通信機械室の空気調節を行う装置である。
【００１８】
電源入切制御回路４は、温度センサ６を外部接続するとともに、遠隔監視制御装置７と通信回線を通じて通信可能である。温度センサ６は、空調装置５が設置された通信機械室の室温を検知し、設定温度以上の場合、その旨を示す信号（以下、高温信号という）を電源入切制御回路４に送信する。遠隔監視制御装置７は、通信機械室の遠隔地（例えば、電力会社の事務所等）に設置され、遠隔から装置電源制御システム１を監視する装置であり、電源入切制御回路４に対して、空調装置５をリセットするための制御信号（以下、リセット信号という）を送信する。電源入切制御回路４は、温度センサ６からの高温信号又は遠隔監視制御装置７からのリセット信号を受けた場合に、空調装置５をリセットする。なお、リセットとは、電源供給を一旦遮断し、所定時間経過後に再度投入することをいう。
【００１９】
なお、図１では、電源入切制御回路４が空調装置５の外付けになるように示されているが、空調装置５の制御回路に電源入切制御回路４を組み込むようにしてもよい。
【００２０】
≪回路の構成と動作≫
図２は、電源入切制御回路４の構成を示す図であり、特に通常時の状態を示す。電源入切制御回路４は、リレーＲｙ、Ｒｙ１及びＲｙ２、タイマリレーＴＭ、交流不足電圧リレーＵＶ、接点ＳＷ１〜ＳＷ５を備える。各リレーは相互に並列に接続される。
【００２１】
リレーＲｙ１は、温度センサ６と直列に接続され、温度センサ６から無電圧接点信号（高温信号）を受けたときに動作し、接点ＳＷ１を閉路にする。
【００２２】
リレーＲｙ２は、遠隔監視制御装置７ｂ（以下、子局７ｂという）と直列に接続され、子局７ｂから無電圧接点信号を受けたときに動作し、接点ＳＷ２を閉路にする。なお、子局７ｂは、遠隔監視制御装置７ａ（以下、親局７ａという）からリセット信号を受けたときに、無電圧接点信号（リレーによる制御出力信号）をリレーＲｙ２に供給する。なお、遠隔監視制御装置７としては、親局７ａが遠隔地の事務所側にあり、電源入切制御回路４の近くに設置された１又は複数の子局７ｂを通信回線で接続し、遠隔監視制御する。
【００２３】
交流不足電圧リレーＵＶは、電源装置２の瞬時停電を含む停電や電圧低下（ＵＶ：Under Volt）を検知したときに動作し、接点ＳＷ３を閉路にする。
【００２４】
タイマリレーＴＭは、相互に並列に接続されている接点ＳＷ１、ＳＷ２及びＳＷ３のうち、いずれか１個の接点が閉路になった時に動作し、接点ＳＷ４を開路にする。リレーＲｙは、接点ＳＷ４が閉路のときに動作し、接点ＳＷ５を閉路にする。
【００２５】
接点ＳＷ１は、通常時には開路になっているが、リレーＲｙ１が動作すると閉路になる。接点ＳＷ２は、通常時には開路になっているが、リレーＲｙ２が動作すると閉路になる。接点ＳＷ３は、通常時には開路になっているが、交流不足電圧リレーＵＶが動作すると閉路になる。接点ＳＷ４は、通常時には閉路になっているが、タイマリレーＴＭが動作すると開路になる。接点ＳＷ５は、通常時にはリレーＲｙが動作して閉路になっているが、接点ＳＷ４が開路することによりリレーＲｙが動作しなくなると開路になる。なお、接点ＳＷ５の閉路／開路によって、空調装置５への電源の供給／停止の切替が行われる。
【００２６】
図２は、通常時の状態を示しており、この状態では、リレーＲｙ１、Ｒｙ２及び交流不足電圧リレーＵＶのいずれもが動作せず、接点ＳＷ１、ＳＷ２及びＳＷ３のいずれもが開路になっているので、タイマリレーＴＭが動作せず、接点ＳＷ４が閉路になる。これにより、リレーＲｙが動作し、接点ＳＷ５が閉路になるので、空調装置５に電源供給が行われる。
【００２７】
図３は、電源入切制御回路４により空調装置５への電源供給を停止した時の状態を示す。図３では、交流不足電圧リレーＵＶが電圧低下（瞬間停電を含む）を検知して動作し、接点ＳＷ３が閉路になる。これにより、タイマリレーＴＭが動作し、接点ＳＷ４が開路になる。これにより、リレーＲｙが動作しなくなり、接点ＳＷ５が開路になるので、空調装置５への電源供給が停止される。
【００２８】
≪リレーの動作≫
図４は、瞬時停電の場合の各リレーの動作の例を示す図である。瞬時停電が発生した場合、交流不足電圧リレーＵＶが停電を検知し、あるいは、停電が検知されなければ、空調装置５の停止による温度上昇を温度センサ６が検知してリレーＲｙ１に高温信号を送信し、あるいは、停電も温度上昇も検知されなければ、子局７ｂが親局７ａからリセット信号を受けてリレーＲｙ２に無電圧接点信号を供給する。従って、瞬時停電が発生した場合には、リレーＲｙ１、Ｒｙ２及び交流不足電圧リレーＵＶのうち、少なくとも１つが動作することになる。
【００２９】
これにより、タイマリレーＴＭが動作し、リレーＲｙが動作しなくなり、ＡＣ−ＯＵＴが停止する。この場合、リレーＲｙ１、Ｒｙ２及び交流不足電圧リレーＵＶが動作しなくなっても、所定時間（例えば、５〜３０分間）はタイマリレーＴＭが動作し続け、その後に停止する。これにより、所定時間は、空調装置５に電力供給が行われない。これは、瞬停が起きた場合、事故点検出のために送電・遮断・再送電が行われるので、再度、瞬停が起きることを考慮して、この送電・遮断・再送電が完了するまで待つためである。実際には、変電所〜中継所等間の配電線の長さ（距離）によって停電後再送電した際に復電するまでの時間が異なるので、タイマリレーＴＭが動作し続ける所定時間の設定は、任意に変更することが可能になっている。なお、タイマリレーＴＭが停止すると、リレーＲｙが動作して、ＡＣ−ＯＵＴが回復する。
【００３０】
以上によれば、瞬時停電を含む停電や電圧低下の場合、交流不足電圧リレーＵＶやタイマリレーＴＭの動作により空調装置５の電源を遮断し、所定時間経過後に電源を投入するので、空調装置５の誤作動を防止できるとともに、保守員が現地に出向かなくても済む。また、発雷によるサージノイズや電源装置２の不安定な動作等により空調装置５が停止や送風の状態になった場合、室温が上昇するため、停止等の状態が検知できなくても、温度センサ６が設定温度以上を検知することにより空調装置５の電源をリセットできるので、保守員が現地に出向かなくても済む。万が一、自動リセットが不調であっても、遠隔制御によって空調装置５の電源をリセットできるので、保守員が現地に出向かなくても済む。これによれば、通信設備の不調や、蓄電池の寿命の劣化を防ぐことができるとともに、保守員の復旧作業時間を短縮でき、業務の効率化を図ることができる。
【００３１】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、上記実施の形態では、空調装置５をリセットの対象としたが、リセットすることにより正常に回復する電気機器であれば、空調装置５以外の装置であってもよい。
【符号の説明】
【００３２】
１    装置電源制御システム
２    電源装置（電源）
４    電源入切制御回路（機器電源制御装置）
５    空調装置（電気機器）
６    温度センサ
７    遠隔監視制御装置
７ａ  遠隔監視制御装置、親局
７ｂ  遠隔監視制御装置、子局
Ｒｙ、Ｒｙ１、Ｒｙ２  リレー
ＳＷ１〜ＳＷ４  接点
ＳＷ５  接点（遮断手段、遮断する手段、接続する手段）
ＴＭ    タイマリレー
ＵＶ    交流不足電圧リレー
【図１】
2010252425.tif 000003
【図２】
2010252425.tif 000004
【図３】
2010252425.tif 000005
【図４】
2010252425.tif 000006